(57)【特許請求の範囲】
【請求項１】
容器本体又はキャップの少なくともいずれか一方に固形の乾燥剤を保持するための有底円筒状の保持部を形成し、
該保持部の開口部側の内周面に少なくとも２つの突起を対向させて形成すると共に、いずれか一箇所の突起から、前記保持部の底部に向けて軸方向に突条のリブを内周面に形成したこと
を特徴とする水分を嫌う液体用容器。
【請求項２】
容器本体又はキャップの少なくともいずれか一方に、固形の乾燥剤を保持するための有底円筒状の保持部を形成し、
該保持部の開口部側の内周面に少なくとも２つの突起を対向させて形成し、いずれか一箇所の突起から、保持部の底部に向けて軸方向に１本の突条からなるリブを内周面に形成すると共に、
該リブに対しておおよそ角度９０°の内周位置に、軸方向に１本の突条からなるリブを設けたこと
を特徴とする水分を嫌う液体用容器。
【請求項３】
前記リブは、
乾燥剤の圧入によって圧潰することができるものであること
を特徴とする請求項１又は２に記載の水分を嫌う液体用容器。
【発明の詳細な説明】
【０００１】
【発明の属する技術分野】
この発明は、α−シアノアクリレート系接着剤のように空気中の水分を吸収すると液が固化して使用できなくなるような水分を嫌う液体を収容するための容器に関するものである。
【０００２】
【従来の技術】
たとえば、瞬間接着剤として広く知られているα−シアノアクリレート系接着剤は、空気中の微量水分によって迅速に硬化する液状接着剤であるため、α−シアノアクリレート系接着剤を収容して密閉することができる内容器と、内部に固形の乾燥剤を装着して前記内容器を収容して密閉する外容器とからなる、いわゆる二重容器を使用し、該二重容器を構成する外容器内に固形の乾燥剤を保持し、内容器を収容した外容器内の水分（湿分）を捕捉し、内容器内のα−シアノアクリレート系接着剤の変質硬化を防ぐ手段が知られている。
【０００３】
一方、外界からの水分の透過を少なくするために、周壁を厚手に形成して内部に接着剤を収容することのできる容器本体と、該容器本体に設けた液注出のためのニードル弁の部分を覆うキャップとで形成したペンタイプの容器を使用し、キャップの内奥部に固形の乾燥剤を装着して、ニードル弁の先端部から漏れる接着剤が、キャップによって覆われた内部の水分に触れて硬化することを防止する方法も広く採用されている。
【０００４】
かかる水分を嫌う液体用容器に使用される乾燥剤の多くは、空気中の湿分を吸収するため、シリカ−アルミナ系の吸着剤などを所定サイズの円盤型に成型し、この錠剤型の乾燥剤を前記した容器本体又はキャップに形成した所定の部位に保持させているもので、たとえば、キャップに乾燥剤を保持するには、キャップ内に形成した有底円筒状の保持部の開口部側に、複数の係止用突起もしくは係止用突条を均等間隔で設け、前記固形の乾燥剤を突起若しくは突条を強制的に乗り越えさせ、その内方の前記保持部内に保持させている。
【０００５】
【発明が解決しようとする課題】
前記したシリカ−アルミナ系の吸着剤などを、所定サイズの円盤型に成型して乾燥剤とするに際し、原料を所定のサイズの円盤状に成型したのち、炉に入れて高温で乾燥させるため、製造に細心の注意を払っても得た乾燥剤の大きさにバラツキ（寸法公差）が生じ易い。
その結果、得た乾燥剤を、キャップ又は容器本体の保持部内に装着する際、寸法の大きな乾燥剤は保持部への挿入が難しく、強い押圧力によって圧入すると乾燥剤が割れるおそれがあると共に、割れた場合保持部から抜け落ちるという問題があった。
【０００６】
また、寸法の小さなものは保持部から抜け出るおそれがあり、乾燥剤が保持部から抜け出たことを気づかずにいると、液体の保存性能が著しく低下する。
特に、小さな乾燥剤ほど、保持部の係止用突起または突条も小さくなるため抜け落ちる可能性が大きい。
【０００７】
この発明は、水分を嫌う液体用容器への乾燥剤の保持における現状に鑑み、乾燥剤の寸法にバラツキがあっても、所定寸法公差の範囲内における乾燥剤であれば、これを確実に保持部内に保持することのできる水分を嫌う液体用容器を提供せんとするものである。
【０００８】
【課題を解決しようとする手段】
上記の目的を達成するため、この発明の請求項1に記載の発明は、
容器本体又はキャップの少なくともいずれか一方に、固形の乾燥剤を保持するための有底円筒状の保持部を形成し、
該保持部の開口部側の内周面に少なくとも２つの突起を対向させて形成すると共に、いずれか一箇所の突起から前記保持部の底部に向けて軸方向に突条のリブを内周面に形成したこと
を特徴とする水分を嫌う液体用容器である。
【０００９】
また、この発明の請求項２に記載の発明は、
容器本体又はキャップの少なくともいずれか一方に、固形の乾燥剤を保持するための有底円筒状の保持部を形成し、
該保持部の開口部側の内周面に少なくとも２つの突起を対向させて形成し、いずれか一箇所の突起から、保持部の底部に向けて軸方向に１本の突条からなるリブを内周面に形成すると共に、
該リブに対しておおよそ角度９０°の内周位置に、軸方向に１本の突条からなるリブを設けたこと
を特徴とする水分を嫌う液体用容器である。
【００１０】
【発明の実施の形態】
この発明の水分を嫌う液体用容器は、α−シアノアクリレート系接着剤のような水分を嫌う液体（ゼリー状を含む）を収容し、この液体が水分によって変質することを防止するための固形の乾燥剤を備えた容器であって、かかる液体用容器としては、水分を嫌う液体を収容することのできる収容部と、該液体を吐出するためのノズル部を具備した内容器本体と、該内容器本体を収容して密閉する外容器からなるいわゆる二重容器、あるいは先端部に液吐出用のノズル部やニードル弁機構などの液吐出部を備えた容器本体と、これらノズル部や液吐出部を覆うことのできるキャップとからなるいわゆる単一の液体用容器などを挙げることができる。
【００１１】
これら水分を嫌う液体用容器における乾燥剤の保持部は、収容した水分を嫌う液体が水分によって変質しないよう、容器本体又はキャップの少なくともいずれか一方に設けるものであって、前記二重容器の場合は外容器の内部であり、単一容器の場合はキャップの内奥部などを保持部とするものである。
【００１２】
乾燥剤を保持するための保持部は、その開口部側の内周面に少なくも2つの突起を突設したもので、これら突起は固形の乾燥剤を保持部内に強制的に嵌入しても乾燥剤によって圧潰されることがなく、かつ、乾燥剤を保持部に挿入したのちは、当該乾燥剤が突起を超えて保持部外に離脱することのないものが望ましく、その形状は、軸方向に向けての山形や台形などの比較的なだらかなものであることが好ましい。
【００１３】
この突起は保持部の開口側の内周面に少なくも２個形成するもので、３個若しくはそれ以上であってもよいが、３個以上にすると、乾燥剤の保持部内への圧入に際して抵抗が増すため。好ましくは、前記保持部の開口部側の、内周面の相対する位置にそれぞれ一つずつ設けることが好ましい。
【００１４】
一方、保持部内に形成するリブは、乾燥剤が保持部内に嵌入されたときに、この乾燥剤に接触して比較的容易に圧潰されるものであることが好ましく、したがって、その形状は軸方向に狭い幅の細長な突条からなる縦リブであることが望ましい。
【００１５】
このリブは、前記のように比較的圧潰が容易な突条からなるもので、前記突起のいずれか一箇所の突起から、保持部の底部に向けて軸方向に１本を設けるのみで十分に効果を発揮させることが可能であるが、径の小さな乾燥剤を使用するような場合には、前記のリブに対しておおよそ角度９０°の内周位置に他の１つのリブを設けることによって、小さな乾燥剤をより確実に保持することができるので好ましい。
【００１６】
前記保持部に装着する固形の乾燥剤は、シリカ−アルミナ系の吸着剤などを所定サイズの円盤型に成型したものであるが、それ以外にシリカゲル、ゼオライトなどを円盤状に賦形したものであってもよく、要は空気中の湿気を十分に吸収することができるものであれば、その材質にはなんら限定はないものである。
【００１７】
【作用】
この発明の水分を嫌う液体用容器は、容器本体又はキャップの、少なくともいずれか一方に形成した保持部内に固形の乾燥剤を収容保持するに際し、保持部の開口部側の内周面に少なくとも２つの突起を形成すると共に、いずれか一箇所の突起から保持部の底部に向けて軸方向にリブを形成したので、保持部内に圧入された固形の乾燥剤は、その径によって前記リブを圧潰し、又は圧潰しないリブによって一方側に付勢されるので、乾燥剤が保持部から離脱することがない。
【００１８】
【実施例】
以下、この発明の水分を嫌う液体用容器の実施例について、添付の図面を引用して具体的に説明する。
図１は、瞬間接着剤として知られるα−シアノアクリレート系接着剤を収容するための水分を嫌う液体用容器であって、該水分を嫌う液体用容器１は、α−シアノアクリレート系接着剤を収容することのできる接着剤収容部３と、該接着剤収容部３と連通しα−シアノアクリレート系接着剤を吐出するためのノズル部４を具備したポリエチレン製の容器本体２と、該容器本体２のノズル部４を覆うためのポリプロピレンやポリエチレン製のキャップ６とからなるものである。
【００１９】
前記容器本体２は、細長い有底円筒部の内部をα−シアノアクリレート系接着剤の収納部３とし、その上端開口部にニードル弁機構を設けたノズル部４を嵌挿したもので、前記ノズル部４の先端開口部からニードル５を先端に突出させ、内蔵するバネによって、常時ニードル５を先端側に付勢してノズル部４の先端開口部を閉止し、バネの付勢力に抗してニードル５を接着剤収容部３側に押圧することによって開弁させ、α−シアノアクリレート系接着剤を、ニードル５に沿って所要の部位に滴下させる構造を有している。
【００２０】
一方、キャップ６は、前記ノズル部４を覆うキャップ本体７と、該キャップ本体７の内側に固定した内径が５．８５ｍｍφの逆有底円筒状の保持部８とからなるものであって、この保持部８の内奥部を、乾燥剤Ａを保持するための装着部１０とし、前記キャップ本体７の内周に設けた放射状に配置した取付片９、９・・によって、キャップ本体７に一体的に固定したものである。
【００２１】
使用する乾燥剤Ａは、シリカ−アルミナ系の吸着剤を、直径が５．７５±０．１ｍｍの寸法公差の範囲内となるよう、所定の厚みで円盤形に固く成型したもので、その最大径が５．８５ｍｍφ、最小径が５．６５ｍｍφで、その間において任意の直径寸法のバラツキが許容されているものである。
【００２２】
図２及び図３で一層明らかなように、前記保持部８における乾燥剤Ａの、装着部１０の開口部側の内周面には、山形に盛り上がった最大高さが０．１０ｍｍの２つの突起１１ａおよび１１ｂを相対して形成したもので、一方の突起１１ａから保持部８の底部に向けて、最大高さが０．２０ｍｍの細幅の突条からなるリブ１２ａを、また、該リブ１２ａに対して約角度９０°の内周位置にリブ１２ｂを、それぞれ軸方向に形成したものである。
【００２３】
前記各突起１１ａ及び１１ｂは、軸方向になだらかな山形に盛り上がった形状としているため、固い乾燥剤Ａを装着部１０内に強制嵌入させる際に、圧潰されることなく通過するが、リブ１２ａ及び１２ｂはそれぞれ細幅の突条によって形成されているので、乾燥剤Ａが保持部８内に嵌入された場合、乾燥剤Ａとの強い接触によって比較的容易に圧潰される。
【００２４】
かかる構造のキャップ６の保持部８に、たとえば、直径が前記の許容範囲における最大系の５．８５ｍｍφを持った乾燥剤Ａ−１を取り付ける場合、当該乾燥剤Ａ−１は、前記突起１１ａ及び１１ｂが形成されている保持部８の入口を強制的に通過して装着部１０内に嵌入し、保持部８内に形成されたリブ１２ａ及び１２ｂを圧潰して装着部１０内に保持される。
【００２５】
その際、リブ１２ａ及び１２ｂを圧潰することによって、乾燥剤Ａ−１は、この押潰された相互のリブに挟圧されて、装着部１０内に遊びのない状態で確実に固定され、同時に圧潰されていない前記突起１１ａ及び１１ｂが、乾燥剤Ａ−１の離脱を阻止して装着部１０から抜け出ることなく保持される。
【００２６】
また、たとえば、直径が前記の許容範囲における最小径の５．６５ｍｍφの乾燥剤Ａ−２を保持部８内に取り付ける場合、図４及び図５に示すように、乾燥剤Ａ−２は、前記突起１１ａ及び１１ｂが設けられている保持部８の入口を通過して装着部１０内に嵌入し、該装着部１０内に保持される。
【００２７】
しかしながら、乾燥剤Ａ−２は、前記５．６５ｍｍφと小さな径であるので、リブ１２ａと１２ｂを圧潰することなく、単に接触するものであるが、リブ１２ａと１２ｂが直角方向、すなわち、角度９０°に設けられているため、乾燥剤Ａ−２はこの２本のリブに接触して斜め方向に偏心移動し、保持部８内に広い範囲で接触して遊びのない状態で装着部１０内に確実に保持され、同時に圧潰されていない前記突起１１ｂが、乾燥剤Ａ−２の離脱を阻止して装着部１０から抜け出ることなく保持される。
【００２８】
なお、上記のリブ１２ｂは必ずしも必要ではなく、リブ１２ａのみを突起１１ａと同じ内周位置に形成することによって、前記した５．６５ｍｍφと小さな径の乾燥剤Ａ−２はリブ１２ａに接触して、保持部８の対抗する内面側、つまり突起１１ｂを設けた保持部８の内周面側に偏心移動し、この内面に接触して保持される。この偏心移動により、乾燥剤Ａ−２の一部が前記突起１１ｂの下側に回り込むので、乾燥剤Ａ−２は装着部１０から抜け出ることがない。
【００２９】
【発明の効果】
この発明の水分を嫌う液体用容器は、水分を嫌う液体用容器を構成する容器本体又はキャップの少なくともいずれか一方側に、固形の乾燥剤を保持するための保持部を形成し、該保持部の開口部側の内周面に相対して形成した少なくとも２つの突起の一箇所から、保持部の底部に向って軸方向に圧潰可能なリブを形成しているので、保持部に装着せんとする固形の乾燥剤の寸法にバラツキがあっても、そのバラツキが許容される公差の範囲内であれば確実に保持部内に保持することができる。
【００３０】
特に、保持部の底部と突起との間の内周面に軸方向に形成するリブは、固形の乾燥剤が公差範囲内で最小である場合には、保持部内に乾燥剤を圧入したとき圧潰せず、乾燥剤が公差範囲内で最大の場合には、乾燥剤の圧入と同時に圧潰されていずれの場合も、乾燥剤を確実に保持部内に保持できる点できわめて実用性の高いものである。
【００３１】
また、前記のリブに対して他のリブをおおよそ９０°の角度に配設することによって、乾燥剤は、この２本のリブに接触して斜め方向に偏心移動し、保持部の内面のより広い範囲で接触して、さらに確実な保持を達成することができる。
【図面の簡単な説明】
【図１】この発明の水分を嫌う液体用容器の一実施例を示す縦断面図である。
【図２】大きな径の乾燥剤の取付け状態を示すキャップの縦断面図である。
【図３】図２のイ−イ断面図である。
【図４】小さい径の乾燥剤の取付け状態を示すキャップの縦断面図である。
【図５】図４のロ−ロ断面図である。
【符号の説明】
１            水分を嫌う液体用容器
２            容器本体
３            接着剤収容部
４            ノズル部
５            ニードル
６            キャップ
７            キャップ本体
８            保持部
９            取付片
１０            乾燥剤の装着部
１１ａ，１１ｂ  突起
１２ａ，１２ｂ  リブ
Ａ              乾燥剤
【図１】
0003581948.tif 000002
【図２】
0003581948.tif 000003
【図３】
0003581948.tif 000004
【図４】
0003581948.tif 000005
【図５】
0003581948.tif 000006